(57)【要約】【課題】高い意匠性と防水性とを確保しながら小型化を図ることが可能な携帯機を提供する。【解決手段】電池収容部１１が設けられたケース本体６の一側面６ｂには、外蓋７が着脱可能に取り付けられている。外蓋７は、外蓋７がケース本体６に装着された状態における同外蓋７の中蓋１５に対応する内底面７ａからケース本体６の一側面６ｂまでの距離ｄ１が、外蓋７がケース本体６に装着されていない状態における中蓋１５の外蓋７に対応する面１５ｃからケース本体６の一側面６ｂまでの距離ｄ２よりも小さくなるように設定されている。【選択図】図５
2009155894.tif 000002
【特許請求の範囲】
【請求項１】
特定の通信対象との間で所定の無線通信を行うための電子部品と、前記電子部品に電力を供給するための電池とが、ケースに収容されてなる携帯機において、
前記ケースは、前記電池が配置される電池収容部が一側面に開口して形成されたケース本体と、
前記電池収容部の開口部を覆う中蓋と、
前記ケース本体と前記中蓋との間に設けられ前記ケース本体の一側面における前記電池収容部の開口部を囲繞する弾性を有する防水部材と、
前記ケース本体に対して着脱可能に設けられて前記中蓋全体を覆う外蓋とを備え、
前記外蓋が前記ケース本体に装着された状態における同外蓋の前記中蓋に対応する面から前記ケース本体の一側面までの距離が、前記外蓋が前記ケース本体に装着されていない状態における前記中蓋の前記外蓋に対応する面から前記ケース本体の一側面までの距離よりも小さく設定されたことを特徴とする携帯機。
【請求項２】
前記ケース本体は、前記外蓋が前記ケース本体に装着された状態における該外蓋と前記中蓋との対向方向において前記外蓋と係合し、該外蓋を、前記電池収容部が開口する一側面に沿ってスライド可能に保持する外蓋案内部と、
前記外蓋と当該外蓋のスライド方向において係合し、前記外蓋を、前記中蓋全体を覆う位置に保持する外蓋係止部とを備えたことを特徴とする請求項１に記載の携帯機。
【請求項３】
前記ケース本体において前記中蓋に対応する部位に設けられ、前記外蓋のスライド方向において前記中蓋と係合する中蓋係合部を備えたことを特徴とする請求項２に記載の携帯機。
【請求項４】
前記外蓋において、当該外蓋をスライドさせて前記ケース本体に装着させる際に前記中蓋に係合する部位には、装着時のスライド方向に向かうにつれて前記ケース本体の一側面から離間するように傾斜する傾斜面を備え、
前記外蓋は、前記外蓋案内部と係合した状態でスライドすることにより前記中蓋を前記ケース本体側へ押圧することを特徴とする請求項２又は３に記載の携帯機。
【請求項５】
前記外蓋は、前記中蓋を前記ケース本体側へ押圧した状態でスライドされることにより前記外蓋案内部と係合することを特徴とする請求項２〜４の何れか１項に記載の携帯機。
【発明の詳細な説明】
【技術分野】
【０００１】
本発明は、特定の通信対象との間で所定の無線通信を行う携帯機に関する。
【背景技術】
【０００２】
従来、例えば特許文献１に示されるように、車両や住宅等に設けられた所定の通信対象と、該車両や住宅等の所有者が所持する携帯機との間の無線通信を通じて携帯機の所有者による車両や住宅等の使用を許可する電子キーシステムが知られている。
【０００３】
この携帯機のケースは、前記通信対象との間で無線通信を行うための電子部品が収容されているケース本体と、該ケース本体の側面の一部を覆う外蓋とから全体として直方体状に形成されている。外蓋に覆われたケース本体の側面には、前記電子部品に電力を供給するための電池が収容された電池収容部が設けられている。外蓋はケース本体に設けられたガイド溝に沿ってスライド可能に設けられており、該外蓋をスライドさせることにより電池収容部が露出する。電池収容部は板状に形成された中蓋によって覆われており、該中蓋とケース本体との間には電池収容部の開口部を囲繞するＯリング等の防水部材が設けられている。中蓋は、同中蓋を貫通するねじ挿通孔に外側から挿通された雄ねじをケース本体に締める付けることによって該ケース本体側へ押圧された状態でケース本体に固定されている。これにより、中蓋とケース本体との間に設けられた防水部材が押し潰されることにより中蓋とケース本体との間の隙間が密封され、電池収容部に水等が浸入することが防止される。
【特許文献１】特開２００７−２５８８７７号公報
【発明の開示】
【発明が解決しようとする課題】
【０００４】
ところで、このような携帯機においては、携帯性向上の観点から小型化が要求されるとともに、携帯機の所有者に好んで所持してもらえるよう、高い意匠性も要求されている。しかしながら、前述した従来の携帯機の防水構造では、電池収容部を覆う中蓋が外蓋によって完全に覆われるためその意匠性を確保することができるものの、ケース本体に、中蓋を固定するための雄ねじやねじ孔等の設置スペースを確保しなければならないため、このことが携帯機の小型化の妨げとなってしまう。
【０００５】
本発明は、こうした実情に鑑みてなされたものであって、その目的は、高い意匠性と防水性とを確保しながら小型化を図ることが可能な携帯機を提供することにある。
【課題を解決するための手段】
【０００６】
請求項１に記載の発明は、特定の通信対象との間で所定の無線通信を行うための電子部品と、前記電子部品に電力を供給するための電池とが、ケースに収容されてなる携帯機において、前記ケースは、前記電池が配置される電池収容部が一側面に開口して形成されたケース本体と、前記電池収容部の開口部を覆う中蓋と、前記ケース本体と前記中蓋との間に設けられ前記ケース本体の一側面における前記電池収容部の開口部を囲繞する弾性を有する防水部材と、前記ケース本体に対して着脱可能に設けられて前記中蓋全体を覆う外蓋とを備え、前記外蓋が前記ケース本体に装着された状態における同外蓋の前記中蓋に対応する面から前記ケース本体の一側面までの距離が、前記外蓋が前記ケース本体に装着されていない状態における前記中蓋の前記外蓋に対応する面から前記ケース本体の一側面までの距離よりも小さく設定されたことをその要旨とする。
【０００７】
本発明によれば、外蓋がケース本体に装着されることにより、外蓋がケース本体に装着された状態における同外蓋の中蓋に対応する面からケース本体の一側面までの距離と、外蓋がケース本体に装着されていない状態における中蓋の外蓋に対応する面からケース本体の一側面までの距離との差の分だけ、中蓋が外蓋によってケース本体側へ押圧される。このため、ねじ等の他の部材を用いなくても中蓋をケース本体側へ押圧して防水部材を押し潰すことができる。よって、中蓋をケース本体に固定するためのねじ孔等のスペースを省略することが可能となり、携帯機の小型化を図ることができる。また、外蓋がケース本体に装着されることにより該外蓋によって電池収容部を覆う中蓋全体が覆われるため、携帯機の高い意匠性が確保される。よって、高い意匠性と防水性とを確保しながら小型化を図ることが可能な携帯機を得ることができる。
【０００８】
請求項２に記載の発明は、前記ケース本体は、前記外蓋が前記ケース本体に装着された状態における該外蓋と前記中蓋との対向方向において前記外蓋と係合し、該外蓋を、前記電池収容部が開口する一側面に沿ってスライド可能に保持する外蓋案内部と、前記外蓋と当該外蓋のスライド方向において係合し、前記外蓋を、前記中蓋全体を覆う位置に保持する外蓋係止部とを備えたことをその要旨とする。
【０００９】
本発明によれば、外蓋と中蓋との対向方向において外蓋と外蓋案内部とを確実に係合させることができるため、防水部材によって中蓋及び外蓋が押し戻されることを好適に防止することができる。よって、防水部材をより確実に押し潰すことが可能となり、携帯機の防水性をより向上させることができる。
【００１０】
請求項３に記載の発明は、前記ケース本体において前記中蓋に対応する部位に設けられ、前記外蓋のスライド方向において前記中蓋と係合する中蓋係合部を備えたことをその要旨とする。
【００１１】
本発明によれば、中蓋収容部と係合することによって中蓋のスライド方向への変位が規制されるため、中蓋の位置が外蓋のスライド方向へずれてしまうことを防止することができる。よって、中蓋によって防水部材を電池収容部の開口部の周囲に確実に押圧することが可能となり、防水性をより確実に確保することができる。また、中蓋の位置がずれることによって防水部材が歪んでしまうことも防止されるため、中蓋によって防水部材を電池収容部の開口部に沿って均等に押し潰すことが可能となり、このことによっても、防水性をより確実に確保することができる。
【００１２】
請求項４に記載の発明は、前記外蓋において、当該外蓋をスライドさせて前記ケース本体に装着させる際に前記中蓋に係合する部位には、装着時のスライド方向に向かうにつれて前記ケース本体の一側面から離間するように傾斜する傾斜面を備え、前記外蓋は、前記外蓋案内部と係合した状態でスライドすることにより前記中蓋を前記ケース本体側へ押圧することをその要旨とする。
【００１３】
本発明によれば、上述したように、外蓋がケース本体に装着された状態における同外蓋の中蓋に対応する面からケース本体の一側面までの距離が、外蓋がケース本体に装着されていない状態における中蓋の外蓋に対応する面からケース本体の一側面までの距離よりも小さく設定されているため、例えば外蓋を中蓋からずれた位置からスライドさせてケース本体に装着する際には、外蓋の端部が中蓋と係合し、その係合度合いによっては外蓋をケース本体に装着し難くなる。この点、本発明のように傾斜面を設ければ、中蓋からずれた位置から外蓋をスライドさせる際に、中蓋が外蓋の傾斜面に沿ってケース本体側へ変位するので、外蓋をケース本体に円滑に装着することができる。また、外蓋をケース本体に装着する際、外蓋を中蓋からずれた位置からスライドさせることが可能となるため、ケース本体に対して外蓋がスライドする長さを長くすることができる。ケース本体に対して外蓋がスライドする長さが長くなる程、該長さに応じて、外蓋及びケース本体の係合部を前記スライド方向に沿った広範囲に設けることができるため、外蓋及びケース本体の係合部の強度を確保することができる。
【００１４】
請求項５に記載の発明は、前記外蓋は、前記中蓋を前記ケース本体側へ押圧した状態でスライドされることにより前記外蓋案内部と係合することをその要旨とする。
本発明によれば、外蓋は、中蓋をケース本体側へ押圧した状態でスライドされることにより外蓋案内部と係合するように構成されているため、予め中蓋によって防水部材を電池収容部の開口部に沿って均等に押し潰すことが可能となり、防水性をより確実に確保することができる。
【発明の効果】
【００１５】
本発明によれば、高い意匠性と防水性とを確保しながら小型化を図ることが可能な携帯機を得ることができる。
【発明を実施するための最良の形態】
【００１６】
以下、本発明を、車両の電子キーシステムにおいて、ドア錠の開閉に使用される電子キーに具体化した一実施の形態を図面に従って説明する。
＜電子キーシステムの概要＞
図１に示すように、電子キーシステム１は、携帯機としての電子キー２と、車両に搭載された通信対象としての施解錠制御装置３とを備えている。ユーザが電子キー２を所持して車両の所定領域に接近すると、電子キー２は施解錠制御装置３から送信されるリクエスト信号Ｓｒを受信する。このリクエスト信号ＳｒはＩＤコードの送信を電子キー２に要求する旨の信号である。電子キー２は前記リクエスト信号Ｓｒを受信すると、予め記録された自身のＩＤコードを含むＩＤ信号Ｓｉを送信する。施解錠制御装置３は、電子キー２から送信されてきたＩＤ信号Ｓｉを受信すると、このＩＤ信号Ｓｉに含まれる電子キー２側のＩＤコードと予め記憶された車両側のＩＤコードとを照合し、両ＩＤコードが一致したことを条件としてドア錠を解錠する。一方、ユーザが電子キー２を所持して車両から離間して前記所定領域外に移動すると、施解錠制御装置３は、電子キー２から送信されるＩＤ信号Ｓｉを受信不能となる。施解錠制御装置３は電子キー側のＩＤ信号Ｓｉを受信不能になったことを条件として車両のドア錠を施錠する。このように、ユーザが車両に触れることなくドア錠の施解錠が行われる。
【００１７】
図２に示すように、電子キー２のケース４は、前記施解錠制御装置３との間で無線通信を行うための電子部品５等が収容されるケース本体６と、該ケース本体６に対して着脱可能に設けられた外蓋７とから、全体として直方体状に形成されている。外蓋７は、ケース本体６に対して、ケース４の長手方向中央よりも一端側（図２において紙面奥行き方向手前側）の高さ方向（図２において上下方向）上部に対応する部位に取り付けられている。ケース本体６において前記外蓋７が装着される部位６ａは、他の部位の高さの略半分の高さとなっており、外蓋７は、該ケース本体６の凹設された部位に対応する略直方体状の外形を有している。ケース本体６及び外蓋７の外側面は、ケース本体６に外蓋７が装着された状態で、それらの境界部分が面一となるように形成されている。
【００１８】
図３に示すように、ケース本体６において外蓋７が装着される部位６ａの一側面６ｂはケース本体６の高さ方向（図３において上下方向）の外側面６ｃと平行となっており、ケース本体６の長手方向中央部分には、それらに直交する段差面６ｄが設けられている。図４に示すように、外蓋７が装着される前記部位６ａの一側面６ｂの中央部には、円形状の電池収容部１１が凹設されている。電池収容部１１には、図示しない電極が露出するように設けられている。該電極は、ケース本体６に収容された前記電子部品５と電気的に接続されている。電池収容部１１には、前記電子部品５に電力を供給するための電池１２が収容されている。本実施の形態では、この電池１２として円筒状のいわゆるボタン電池が使用されている。電池１２の電力は、前記電極を通じて電子部品５へ供給される。
【００１９】
また、同図４に示すように、電池収容部１１の周囲には、電池収容部１１の直径（開口径）よりも大きな内径を有する円環状の中蓋係合部としての溝１３が形成されている。外蓋７が装着される部位６ａの一側面６ｂにおいて電池収容部１１と溝１３との間には、ゴム材により円環状に形成された防水部材１４が装着されている。そして、図５（ａ）に示すように、電池収容部１１に電池１２が収容されるとともに該電池収容部１１と溝１３との間に防水部材１４が装着された状態で、中蓋１５が、該防水部材１４のケース本体６とは反対側（図５（ａ）において上側）に、電池収容部１１の開口部を覆うように設けられている。中蓋１５は、溝１３の内径と略等しい内径と、同溝１３の外径と略等しい外径とを有し、ケース本体６側に開口する有底円筒状に形成されており、その筒状部１５ａの先端部分が溝１３に収容された状態で外蓋７が装着される部位６ａの一側面６ｂに装着されている。ケース本体６に外蓋７が装着されていない状態において、中蓋１５は、その底部１５ｂが、ケース本体６とは反対側から防水部材１４に当接するとともに、その筒状部１５ａの先端面と溝１３の底面１３ａとの間に隙間が設けられた状態で保持されている。
【００２０】
また、図４に示すように、外蓋７が装着される部位６ａの一側面６ｂにおいて、溝１３よりもケース本体６の短手方向（図４において上下方向）両端側の部位には、外蓋案内部１６，１７がそれぞれ立設されている。各外蓋案内部１６，１７は、ケース本体６の長手方向（図４において左右方向）に複数（本実施の形態では２つ）設けられている。各外蓋案内部１６，１７の基端側の部位には、ケース本体６の短手方向の外側面側にそれぞれ開口する断面コ字状の案内溝１６ｃ，１７ｃがケース本体６の長手方向に沿って凹設されている（図３参照）。
【００２１】
また、ケース本体６の長手方向において外蓋７と対向する前記段差面６ｄの略中央部分には、外蓋係止部１８が設けられている。外蓋係止部１８は、段差面６ｄから、ケース本体６の一側面６ｂと同ケース本体６の高さ方向で対向するように突出している。外蓋係止部１８の先端には、ケース本体６とは反対側に突出する係合凸部１８ａが形成されている。
【００２２】
図５（ｂ）に示すように、外蓋７は、ケース本体６に装着された状態で該ケース本体６の一側面６ｂ及び段差面６ｄと対向する側（図５（ａ）においては右側と下側）が開口する有底直方体状に形成されている。図５（ａ）に示すように、外蓋７においてケース本体６の短手方向（図５（ａ）において紙面奥行き方向）の各側壁２１，２１の先端部（図５（ａ）において下端部）には、内側に突出する被係合部２３がその長手方向（図５（ａ）において左右方向）全体にそれぞれ設けられている。外蓋７は、ケース本体６の前記一側面６ｂに対して、各側壁２１，２１がケース本体６の外蓋案内部１６，１７の外側に配置されるとともに、被係合部２３が対応する案内溝１６ｃ，１７ｃに配置されるように、その段差面６ｄに対向する開口側からケース本体６の長手方向に沿って装着される。これにより、外蓋７は、中蓋１５との対向方向（図５（ａ）において上下方向）において外蓋案内部１６，１７と係合し、ケース本体６の一側面６ｂに沿った同ケース本体６の長手方向において、図５（ａ）に示すような中蓋１５からずれた位置と、図７（ａ）に示すような段差面６ｄに当接する位置との間をスライド可能に保持される。
【００２３】
同図５（ａ）に示すように、外蓋７は、外蓋７がケース本体６に装着された状態における同外蓋７の中蓋１５に対応する面（以下、内底面という。）７ａからケース本体６の一側面６ｂまでの距離ｄ１が、外蓋７がケース本体６に装着されていない状態における中蓋１５の外蓋７に対応する面１５ｃからケース本体６の一側面６ｂまでの距離ｄ２よりも小さくなるように形成されている。このため、図７（ａ）に示すように外蓋７がケース本体６（外蓋７が装着される部位６ａ）の一側面６ｂを完全に覆う位置に装着された状態において、外蓋７の内底面７ａからケース本体６の一側面６ｂまでの距離ｄ１と、外蓋７がケース本体６に装着されていない状態における中蓋１５の外蓋７に対応する面１５ｃからケース本体６の一側面６ｂまでの距離ｄ２との差の分だけ、中蓋１５が外蓋７によってケース本体６側へ押圧される。この中蓋１５のケース本体６側への変位は、防水部材１４が弾性変形することにより許容される。
【００２４】
また、外蓋７において、当該外蓋７をスライドさせてケース本体６に装着させる際に中蓋１５に係合する部位には、装着時のスライド方向に向かうにつれてケース本体６の一側面６ｂから離間するように傾斜する傾斜面７ｂが設けられている。図５（ａ）に示すように、外蓋７が外蓋案内部１６，１７に係合した状態でケース本体６の段差面６ｄ側へスライドすると、傾斜面７ｂが中蓋１５の段差面６ｄとは反対側の端部に、ケース本体６とは反対側から係合する。そして、外蓋７が段差面６ｄ側へさらにスライドすると、中蓋１５が外蓋７の傾斜面７ｂに押圧されて前記防水部材１４を押し潰しながらケース本体６側へ変位する。そして、前記スライド方向において外蓋７の傾斜面７ｂが中蓋１５の段差面６ｄとは反対側の隅部を乗り越えると、外蓋７は、中蓋１５の外蓋７に対応する面１５ｃに接触しながら図７（ａ）に示す段差面６ｄに当接する位置まで移動する。
【００２５】
また、外蓋７の内底面７ａにおいて、当該外蓋７がケース本体６の段差面６ｄに当接した状態で前記外蓋係止部１８の係合凸部１８ａに対応する部位には、係合凹部２４が凹設されている（図７（ａ）参照）。これにより、外蓋７がケース本体６に対してスライドして図７（ａ）に示すようなケース本体６の一側面６ｂを完全に覆う位置に配置されると、外蓋７の係合凹部２４に外蓋係止部１８の係合凸部１８ａとが外蓋７のスライド方向において係合し、外蓋７が中蓋１５全体を覆う位置に保持される。
【００２６】
次に、前述したように構成した携帯機の電池の交換手順について説明する。
まず、図７（ａ）に示されるようにケース本体６に装着されている外蓋７を、当該ケース本体６の段差面６ｄとは反対側（図７（ａ）において左側）へスライドさせて取り外す。そして、ケース本体６の溝１３に電池収容部１１の開口部を覆うように装着されている中蓋１５及び防水部材１４を取り外し、電池収容部１１の開口部を露出させ、電池１２を交換する。次に、中蓋１５及び防水部材１４をケース本体６の溝１３に再び装着する。このとき、中蓋１５は、その筒状部１５ａの先端部分が溝１３に収容された状態でケース本体６の一側面６ｂに装着されているため、特別な工具（ドライバー等）を用いることなく容易に着脱することができる。なお、中蓋１５及び防水部材１４を別々にケース本体６に装着するようにしてもよく、また、当該中蓋１５に予め防水部材１４を装着した状態で中蓋１５及び防水部材１４をケース本体６に装着するようにしてもよい。
【００２７】
次に、図５（ａ）に示すように、外蓋７を、ケース本体６の段差面６ｄとは反対側から同ケース本体６の一側面６ｂに沿ってスライドさせ、外蓋７の各側壁２１，２１に設けられた被係合部２３と、ケース本体６に設けられた外蓋案内部１６，１７の案内溝１６ｃ，１７ｃとを係合させる。これにより、外蓋７は、ケース本体６に対する外蓋７の高さ方向への変位が規制された状態で、ケース本体６に対して図５（ａ）に示すような中蓋１５からずれた位置と、図７（ａ）に示すような段差面６ｄに当接する位置との間をスライド可能に保持される。そして、外蓋７をケース本体６の段差面６ｄ側へさらにスライドさせて、同外蓋７の傾斜面７ｂを中蓋１５に押し当てる。このとき、外蓋７の被係合部２３と、ケース本体６の外蓋案内部１６，１７とが係合することによりケース本体６に対する外蓋７の高さ方向への変位が規制されるため、図６に示すように、外蓋７が前記段差面６ｄ側へスライドするにつれて、中蓋１５の隅部が傾斜面７ｂに沿ってケース本体６側へ変位する。そして、外蓋７をさらにスライドさせると、当該外蓋７が中蓋１５の隅部を乗り越え、外蓋７は、中蓋１５をケース本体６側に押圧変位させながら変位する。そして、外蓋７を、ケース本体６の段差面６ｄに当接する位置までさらにスライドさせると、図７（ａ）に示すように、外蓋７の係合凹部２４とケース本体６の外蓋係止部１８とが係合する。これにより、外蓋７の内底面７ａからケース本体６の一側面６ｂまでの距離ｄ１と、外蓋７がケース本体６に装着されていない状態における中蓋１５の外蓋７に対応する面１５ｃからケース本体６の一側面６ｂまでの距離ｄ２との差の分だけ、中蓋１５が外蓋７によってケース本体６側へ押圧変位された状態に保持される。すなわち、中蓋１５とケース本体６との間に設けられた防水部材１４は、前記距離の差｜ｄ２−ｄ１｜の分だけが押し潰された状態に保たれる。よって、中蓋１５とケース本体６との間の隙間が密封されることとなり、電池収容部１１に水等が浸入することが防止される。
【００２８】
なお、上述したように、外蓋７がケース本体６に装着された状態における同外蓋７の内底面７ａからケース本体６の一側面６ｂまでの距離ｄ１が、外蓋７がケース本体６に装着されていない状態における中蓋１５の外蓋７に対応する面１５ｃから前記一側面６ｂまでの距離ｄ２よりも小さくなるように設定されているため、外蓋７を中蓋１５からずれた位置からスライドさせてケース本体６に装着する際には、外蓋７の端部が中蓋１５と係合し、その係合度合いによっては外蓋７をケース本体６に装着し難くなることが考えられる。この点、本実施の形態では傾斜面７ｂが設けられているため、外蓋７をスライドさせる際に、中蓋１５が外蓋７の傾斜面７ｂに沿ってケース本体６側へ変位するので、外蓋７をケース本体６に円滑に装着することができる。また、中蓋１５は、外蓋７のスライド方向において溝１３と係合することによって前記スライド方向への変位が規制されるため、外蓋７が中蓋１５と接触しながらスライドすることによって中蓋１５の位置がずれてしまうことが防止される。
【００２９】
次に、上記実施の形態の作用効果を以下に記載する。
（１）外蓋７がケース本体６に装着された状態における同外蓋７の中蓋１５に対応する内底面７ａからケース本体６の一側面６ｂまでの距離ｄ１が、外蓋７がケース本体６に装着されていない状態における中蓋１５の外蓋７に対応する面１５ｃからケース本体６の一側面６ｂまでの距離ｄ２よりも小さく設定されている。このため、外蓋７がケース本体６に装着されることにより、外蓋７がケース本体６に装着された状態における同外蓋７の中蓋１５に対応する内底面７ａからケース本体６の一側面６ｂまでの距離ｄ１と、外蓋７がケース本体６に装着されていない状態における中蓋１５の外蓋７に対応する面１５ｃからケース本体６の一側面６ｂまでの距離ｄ２との差の分だけ、中蓋１５が外蓋７によってケース本体６側へ押圧される。従って、ねじ等の他の部材を用いなくても中蓋１５をケース本体６側へ押圧して防水部材１４を押し潰すことができる。よって、中蓋１５をケース本体６に固定するためのねじ孔等のスペースを省略することが可能となり、電子キー２の小型化を図ることができる。また、外蓋７がケース本体６に装着されることにより該外蓋７によって電池収容部１１を覆う中蓋１５全体が覆われるため、電子キー２の高い意匠性が確保される。よって、高い意匠性と防水性とを確保しながら小型化を図ることが可能な電子キー２を得ることができる。
【００３０】
（２）また、中蓋１５を覆う外蓋７が１つの部材から構成されるため、電子キー２の外側面（意匠面）を構成する部材の数を極力抑えることができる。このため、電子キー２の外側面（意匠面）に現れる部材の境界線（見切り）を極力少なくすることができる。従って、電子キー２の意匠性が確保される。
【００３１】
（３）また、例えば外蓋７をケース本体６に対してケース４の高さ方向で係合させて固定する構成とした場合、ケース本体６及び外蓋７の外周面にそれらを前記高さ方向で分割するための分割溝を設け、電池１２を交換する際には該分割溝に爪等を引っかけて電池収容部１１を露出させなければならない。この点、本実施の形態によれば、外蓋７をケース本体６の長手方向へスライドさせることによりケース本体６に対する外蓋７の係合を解除することができるため、分割溝をケース４の外側面（意匠面）に設ける必要がない。よって、電子キー２の外側面（意匠面）に現れる凹凸を極力少なくすることができる。従って、電子キー２の高い意匠性を確保することができる。
【００３２】
（４）外蓋７が、ケース本体６に対してスライド可能に設けられているため、外蓋７と中蓋１５との対向方向において外蓋７と外蓋案内部１６，１７とを確実に係合させることが可能となり、防水部材１４によって中蓋１５及び外蓋７が押し戻されることを好適に防止することができる。よって、防水部材１４をより確実に押し潰すことが可能となり、電子キー２の防水性をより向上させることができる。
【００３３】
（５）また、中蓋１５は、その筒状部１５ａの先端部分が溝１３に収容された状態でケース本体６の一側面６ｂに装着されているため、外蓋７を取り外すことで特別な工具（ドライバー等）を用いることなく容易に着脱することができる。よって、電池１２を容易に交換することができる。
【００３４】
（６）ケース本体６に設けられた溝１３と係合することによって中蓋１５のスライド方向への変位が規制されるため、中蓋１５の位置が外蓋７のスライド方向へずれてしまうことを防止することができる。よって、中蓋１５によって防水部材１４を電池収容部１１の開口部の周囲に確実に押圧することが可能となり、防水性をより確実に確保することができる。また、中蓋１５の位置がずれることによって防水部材１４が歪んでしまうことも防止されるため、中蓋１５によって防水部材１４を電池収容部１１の開口部に沿って均等に押し潰すことが可能となり、このことによっても、防水性をより確実に確保することができる。
【００３５】
（７）外蓋７において、当該外蓋７をスライドさせてケース本体６に装着させる際に中蓋１５に係合する部位には、装着時のスライド方向に向かうにつれてケース本体６の一側面６ｂから離間するように傾斜する傾斜面７ｂが設けられているため、中蓋１５からずれた位置から外蓋７をスライドさせる際に、中蓋１５が外蓋７の傾斜面７ｂに沿ってケース本体６側へ変位する。このため、外蓋７をケース本体６に円滑に装着することができる。
【００３６】
尚、本実施の形態は、以下のように変更してもよい。
・上記実施の形態では、外蓋７は、ケース本体６の長手方向において中蓋１５からずれた位置（図５（ａ）参照）から外蓋案内部１６，１７と係合するように構成されたが、このような態様に限定されない。例えば、図８に示すように、外蓋７の被係合部２３に、中蓋１５全体を覆う位置における外蓋７のケース本体６側への変位を許容する許容部としてスリット３０を設けてもよい。この構成によれば、外蓋７によって中蓋１５をケース本体６側へ押圧した状態で同外蓋７をスライドさせることができるため、予め中蓋１５によって防水部材１４を電池収容部１１の開口部に沿って均等に押し潰すことが可能となり、防水性をより確実に確保することができる。なお、この場合、外蓋７によって中蓋１５を押圧変位させた後に外蓋７をスライドさせることができるため、外蓋７の傾斜面７ｂを省略してもよい。また、中蓋１５の少なくとも一部を覆う位置における外蓋７のケース本体６側への変位が許容されるようにスリット３０を設けてもよい。この場合も、外蓋７の傾斜面７ｂを省略してもよい。
【００３７】
・上記実施の形態では、電池収容部１１の周囲に中蓋係合部としての溝１３を設けたが、このような態様に限定されない。例えば、図８に示すように、中蓋係合部として、中蓋１５の周囲に環状壁部３１を立設し、中蓋１５を円盤状に形成してもよい。また、上記実施の形態では、中蓋係合部として環状の溝１３を設けたが、中蓋１５と外蓋７のスライド方向において係合するように構成すれば中蓋１５及び溝１３の形状は適宜変更可能である。
【００３８】
・上記実施の形態では、図７（ａ）に示すように外蓋７がケース本体６の段差面６ｄに当接した状態において、外蓋７の係合凹部２４をケース本体６の外蓋係止部１８よりも外側に配置し、外蓋７がケース本体６に対してケース４の外側から係合するように構成したが、このような態様に限定されない。例えば、図７（ｂ）に示すように外蓋７がケース本体６の段差面６ｄに当接した状態において、外蓋７の係合凹部２４をケース本体６の外蓋係止部１８よりも内側（図７（ｂ）において下側）に配置し、外蓋７がケース本体６に対してケース４の内側から係合するように構成してもよい。このような構成によれば、外蓋７をケース４の内側へ押圧することにより外蓋７の係合凹部２４が外蓋係止部１８から離間する方向、即ち外蓋７とケース本体６との間の係合が解除される方向へ変位するため、外蓋７とケース本体６との間の係合をより容易に解除することが可能となり、外蓋７をより容易に取り外すことができる。
【００３９】
・上記実施の形態では、外蓋７をケース本体６の長手方向へスライドさせることによりケース本体６に対する外蓋７の係合が解除されるものに具体化したが、このような態様に限定されない。例えば、外蓋７をケース本体６に対してケース４の高さ方向で係合させて固定する構成とし、ケース本体６及び外蓋７の外周面にそれらを前記高さ方向で分割するための分割溝が設けたものに具体化してもよい。この場合であれ、中蓋１５は外蓋７に覆われることにより、電子キー２の高い意匠性と防水性とを確保しながら小型化を図ることが可能である。
【００４０】
・上記実施の形態では、各外蓋案内部１６，１７は、ケース本体６の長手方向に複数設けたが、ケース本体６の長手方向に連続して設けてもよい。このような構成によれば、外蓋７及びケース本体６を、該外蓋７のスライド方向に沿った広範囲で係合させることが可能となり、外蓋７をスライドさせる際に当該外蓋７によって中蓋１５をケース本体６側へより確実に押圧変位させることができる。また、外蓋７及びケース本体６の係合部（被係合部２３及び外蓋案内部１６，１７）がスライド方向に沿った広範囲に設けられるため、外蓋７及びケース本体６の係合部の強度を確保することができる。
【００４１】
・上記実施の形態では、例えば電子キー２に施錠・解錠ボタンを設け、該施錠・解錠ボタンの操作に基づいてドア錠を施解錠するようにしてもよい。また、電子キー２にドア錠を手動で施錠・解錠するためのメカニカルキーを収容するための収容部を設け、電子キー２を該メカニカルキーとともに携帯できるようにしてもよい。
【００４２】
・上記実施の形態では、車両の電子キーシステム１に具体化したが、電子キー２との間の無線通信を通じて玄関ドア等に設けられたドア錠の施錠・解錠を許可する電子キーシステムに具体化してもよい。また、電子キー２との間の無線通信を通じて車両のエンジンの始動とドア錠の施錠・解錠とを許可するセキュリティシステムに具体化してもよい。
【図面の簡単な説明】
【００４３】
【図１】車両の電子キーシステムの概略構成図。
【図２】電子キーの外観形状を示す斜視図。
【図３】ケース本体から外蓋を取り外した状態を示す斜視図。
【図４】電子キーの平面図。
【図５】（ａ）はケース本体に外蓋が装着されていない状態を示す電子キーの一部断面図、（ｂ）は外蓋を段差面６ｄに対向する開口側から見た斜視図。
【図６】ケース本体に外蓋を装着する際の作用を示す電子キーの一部断面図。
【図７】（ａ）は本実施の形態のケース本体に外蓋が装着された状態を示す電子キーの一部断面図、（ｂ）は別例のケース本体から外蓋が取り外される際の作用を示す電子キーの一部断面図。
【図８】別例の電子キーの一部断面図。
【符号の説明】
【００４４】
２…携帯機としての電子キー、３…通信対象としての施解錠制御装置、４…ケース、５…電子部品、６…ケース本体、６ｂ…一側面、７…外蓋、７ａ…内底面、７ｂ…傾斜面、１１…電池収容部、１２…電池、１３…中蓋係合部としての溝、１４…防水部材、１５…中蓋、１５ｃ…面、１６，１７…外蓋案内部、１８…外蓋係止部、３１…中蓋係合部としての環状壁部、ｄ１，ｄ２…距離。
【図１】
2009155894.tif 000003
【図２】
2009155894.tif 000004
【図３】
2009155894.tif 000005
【図４】
2009155894.tif 000006
【図５】
2009155894.tif 000007
【図６】
2009155894.tif 000008
【図７】
2009155894.tif 000009
【図８】
2009155894.tif 000010